(57)【要約】【課題】情報提供者から提供された掲載情報を掲載した掲載画面を閲覧した閲覧者から上記情報提供者へ容易に連絡させる。【解決手段】情報提供装置１は、印刷物に印刷された二次元コードを用いて、情報提供者から提供された掲載情報を閲覧者側装置５に表示させる装置である。この情報提供装置１は、情報取得部と、データベースと、掲載制御部とを備える。印刷物に印刷された二次元コードは、掲載画面にアクセスするためのアドレスを含む。情報取得部は、閲覧者側装置５を用いて閲覧者が情報提供者に連絡可能にする連絡先情報および掲載情報を取得する。データベースは、連絡先情報および掲載情報を記憶する。掲載制御部は、印刷物に印刷された二次元コードに含まれているアドレスに閲覧者側装置５がアクセスした場合に、上記連絡先情報を用いて閲覧者が情報提供者に連絡するためのアイコンと掲載情報とを掲載した掲載画面を閲覧者側装置５に表示させる。【選択図】図１
2014035727.tif 000002
【特許請求の範囲】
【請求項１】
印刷物に印刷された情報コードを用いて、閲覧者が所有する閲覧者側装置に、情報提供者から提供された掲載情報を表示させる情報提供装置であって、
前記閲覧者側装置を用いて前記閲覧者が前記情報提供者に連絡可能にする連絡先情報および前記掲載情報を取得する情報取得部と、
前記情報取得部で取得された前記連絡先情報および前記掲載情報を記憶する記憶部と、
前記閲覧者側装置への前記掲載情報の表示を制御する掲載制御部とを備え、
前記情報コードは、前記記憶部に記憶されている前記掲載情報にアクセスするためのアドレスを含み、
前記掲載制御部は、前記印刷物に印刷された前記情報コードに含まれている前記アドレスに前記閲覧者側装置がアクセスした場合に、前記記憶部に記憶されている前記掲載情報と、前記記憶部に記憶されている前記連絡先情報を用いて前記閲覧者が前記情報提供者に連絡するためのアプリケーションを当該閲覧者側装置に起動させるアイコンとを掲載した掲載画面を当該閲覧者側装置に表示させる
ことを特徴とする情報提供装置。
【請求項２】
前記情報提供者が所有する提供者側装置からの電子メールを受信するメール受信部をさらに備え、
前記記憶部は、前記メール受信部で受信された前記電子メールの送信元のメールアドレスを記憶する
ことを特徴とする請求項１記載の情報提供装置。
【請求項３】
前記情報提供者が所有する提供者側装置からのワンタイムパスワードの入力を受け付けるパスワード受付部と、
前記パスワード受付部で受け付けられた前記ワンタイムパスワードを認証する認証部と、
前記情報コードに含まれている前記アドレスに対応する画面を切り替える切替部とをさらに備え、
前記情報取得部は、前記認証部で前記ワンタイムパスワードが認証されると、前記掲載情報および前記連絡先情報を入力するための登録画面を用いて前記掲載情報および前記連絡先情報を取得し、
前記切替部は、前記情報取得部での前記掲載情報および前記連絡先情報の取得が完了すると、前記アドレスに対応する画面を前記登録画面から前記掲載画面に切り替える
ことを特徴とする請求項１または２記載の情報提供装置。
【発明の詳細な説明】
【技術分野】
【０００１】
本発明は、閲覧者が所有する閲覧者側装置に、情報提供者から提供された掲載情報を表示させる情報提供装置に関する。
【背景技術】
【０００２】
従来から、閲覧者が所有する閲覧者側装置に、情報提供者から提供された掲載情報を表示させる情報提供装置が知られている（例えば特許文献１参照）。
【０００３】
特許文献１に記載されたシステムは、結婚式の招待客に発行されるＱＲコード（登録商標）を用いた新郎新婦のプロフィール閲覧システムである。特許文献１に記載されたシステムでは、サーバが新郎新婦のプロフィール・写真・メッセージを格納し、このサーバのアドレスを付加したＱＲコード（登録商標）が招待客に発行される。招待客が所有する携帯電話は、このＱＲコード（登録商標）を読み取ってサーバにアクセスする。これにより、招待客は、新郎新婦のプロフィール・写真・メッセージを閲覧することができる。
【先行技術文献】
【特許文献】
【０００４】
【特許文献１】特開２００９−１４６２８７号公報
【発明の概要】
【発明が解決しようとする課題】
【０００５】
しかしながら、特許文献１に記載された従来のシステムでは、情報提供者（新郎新婦）から閲覧者（招待客）へ一方的に情報を提供するだけであり、閲覧者から情報提供者への行動を促すことはなかった。
【０００６】
本発明は上記の点に鑑みて為された発明であり、本発明の目的は、情報提供者から提供された掲載情報を掲載した掲載画面を閲覧した閲覧者から上記情報提供者へ容易に連絡させることができる情報提供装置を提供することにある。
【課題を解決するための手段】
【０００７】
本発明の情報提供装置は、印刷物に印刷された情報コードを用いて、閲覧者が所有する閲覧者側装置に、情報提供者から提供された掲載情報を表示させる情報提供装置であって、前記閲覧者側装置を用いて前記閲覧者が前記情報提供者に連絡可能にする連絡先情報および前記掲載情報を取得する情報取得部と、前記情報取得部で取得された前記連絡先情報および前記掲載情報を記憶する記憶部と、前記閲覧者側装置への前記掲載情報の表示を制御する掲載制御部とを備え、前記情報コードは、前記記憶部に記憶されている前記掲載情報にアクセスするためのアドレスを含み、前記掲載制御部は、前記印刷物に印刷された前記情報コードに含まれている前記アドレスに前記閲覧者側装置がアクセスした場合に、前記記憶部に記憶されている前記掲載情報と、前記記憶部に記憶されている前記連絡先情報を用いて前記閲覧者が前記情報提供者に連絡するためのアプリケーションを当該閲覧者側装置に起動させるアイコンとを掲載した掲載画面を当該閲覧者側装置に表示させることを特徴とする。
【０００８】
この情報提供装置において、前記情報提供者が所有する提供者側装置からの電子メールを受信するメール受信部をさらに備え、前記記憶部は、前記メール受信部で受信された前記電子メールの送信元のメールアドレスを記憶することが好ましい。
【０００９】
この情報提供装置において、前記情報提供者が所有する提供者側装置からのワンタイムパスワードの入力を受け付けるパスワード受付部と、前記パスワード受付部で受け付けられた前記ワンタイムパスワードを認証する認証部と、前記情報コードに含まれている前記アドレスに対応する画面を切り替える切替部とをさらに備え、前記情報取得部は、前記認証部で前記ワンタイムパスワードが認証されると、前記掲載情報および前記連絡先情報を入力するための登録画面を用いて前記掲載情報および前記連絡先情報を取得し、前記切替部は、前記情報取得部での前記掲載情報および前記連絡先情報の取得が完了すると、前記アドレスに対応する画面を前記登録画面から前記掲載画面に切り替えることが好ましい。
【発明の効果】
【００１０】
本発明の情報提供装置は、印刷物に印刷された情報コードに含まれているアドレスに閲覧者側装置がアクセスした場合に、閲覧者が情報提供者に連絡するためのアプリケーションを閲覧者側装置に起動させるアイコンを閲覧者側装置に表示させる。これにより、閲覧者は、上記アイコンを操作することによって、情報提供者へ容易に連絡することができる。
【図面の簡単な説明】
【００１１】
【図１】実施形態１に係る情報提供システムの構成図である。
【図２】実施形態１に係る情報提供装置の構成を示すブロック図である。
【図３】実施形態１に係る礼状を示す図である。
【図４】実施形態１に係る情報提供装置のデータベースを示す図である。
【図５】実施形態１に係る掲載画面を示す図である。
【図６】実施形態１に係る情報提供システムを用いた注文方法の説明図である。
【図７】実施形態１に係る情報提供システムを用いた登録方法の説明図である。
【図８】実施形態１に係る情報提供システムを用いた閲覧方法の説明図である。
【図９】実施形態２に係る情報提供装置の構成を示すブロック図である。
【図１０】実施形態２に係るカードを示す図である。
【図１１】実施形態２に係る情報提供装置のデータベースを示す図である。
【図１２】実施形態２に係る情報提供システムを用いた注文方法の説明図である。
【図１３】実施形態２に係る情報提供システムを用いた登録方法の説明図である。
【図１４】実施形態３に係る情報提供システムを用いた注文方法の説明図である。
【図１５】実施形態３に係る情報提供システムを用いた登録方法の説明図である。
【発明を実施するための形態】
【００１２】
以下の実施形態１〜３の情報提供装置は、情報提供者から提供された掲載情報と、閲覧者が情報提供者に連絡するためのアプリケーションを閲覧者側装置に起動させるアイコンとを掲載した掲載画面を閲覧者側装置に表示させる装置である。すなわち、印刷物に印刷された情報コードに含まれているアドレスに閲覧者側装置がアクセスした場合に、情報提供装置は、上記掲載情報を閲覧者側装置に表示させると同時に、閲覧者が情報提供者に連絡可能にするアイコンを閲覧者側装置に表示させる。
【００１３】
情報コードとしては、例えばバーコード等の一次元コード、または、例えばＱＲコード（登録商標）等の二次元コードがある。
【００１４】
以下、実施形態１〜３について図面を参照しながら説明する。
【００１５】
（実施形態１）
実施形態１に係る情報提供システムは、図１に示すように、情報提供装置１と、管理者側装置２と、販売店側装置３１と、配送センターサーバ３２と、提供者側装置４と、閲覧者側装置５とを備えている。情報提供装置１と管理者側装置２と販売店側装置３１と配送センターサーバ３２と提供者側装置４と閲覧者側装置５とは、例えばインターネット等のネットワーク９１を介して接続されている。
【００１６】
情報提供装置１は、印刷物に印刷された二次元コード（情報コード）を用いて、閲覧者が所有する閲覧者側装置５に、情報提供者から提供された掲載情報を表示させる装置である。詳細については後述する。
【００１７】
管理者側装置２は、例えばパーソナルコンピュータまたは携帯端末等であり、メールソフト（メーラー）を用いて電子メールの送受信を行うメール機能を有している。
【００１８】
販売店側装置３１は、例えばパーソナルコンピュータまたは携帯端末等であり、販売店に設置されている。この販売店側装置３１は、メールソフトを用いて電子メールの送受信を行うメール機能を有している。販売店が贈答品の注文を受け付けた場合に、販売店側装置３１は、注文情報を情報提供装置１に送信する。
【００１９】
配送センターサーバ３２は、例えばＣＰＵ（Central Processing Unit：中央処理装置）およびメモリが搭載されたコンピュータであり、情報提供装置１と情報の授受を行う通信機能を有している。
【００２０】
提供者側装置４は、例えば携帯端末またはパーソナルコンピュータ等であり、情報提供者が所有している。この提供者側装置４は、Ｗｅｂブラウザを用いてＷｅｂページを閲覧するＷｅｂ機能と、メールソフトを用いて電子メールの送受信を行うメール機能と、他の装置とファイル転送を行うファイル転送機能とを有している。
【００２１】
閲覧者側装置５は、例えば携帯端末またはパーソナルコンピュータ等であり、閲覧者が所有している。この閲覧者側装置５は、二次元コードを読み取る読取機能と、Ｗｅｂブラウザを用いてＷｅｂページを閲覧するＷｅｂ機能と、メールソフトを用いて電子メールの送受信を行うメール機能と、電話機能とを有している。
【００２２】
管理者側装置２、販売店側装置３１および閲覧者側装置５として用いられる携帯端末は、例えば携帯電話またはＰＨＳ等である。携帯電話には、いわゆるスマートフォン等の多機能携帯電話が含まれている。
【００２３】
本実施形態では、出産内祝いにおいて贈答品と一緒に贈られる礼状（印刷物）６１（図３参照）を用いて掲載画面（掲載用Ｗｅｂページ）８（図５参照）を閲覧者側装置５に表示させる場合について説明する。すなわち、本実施形態では、礼状６１を用いて、情報提供者（贈り主）から提供された掲載情報が掲載された掲載画面８を閲覧者（受贈者）の閲覧者側装置５に表示させる場合について説明する。
【００２４】
本実施形態で用いられる礼状６１には、図３に示すように、メッセージ６１１と、情報コードである二次元コード６１２と、アドレス情報６１３と、掲載期間情報６１４とが印刷されている。二次元コード６１２は、例えばＱＲコード（登録商標）等である。この二次元コード６１２は、掲載画面８にアクセスするためのＵＲＬ（Uniform Resource Locator）（以下「閲覧用ＵＲＬ」という）を含んでいる。アドレス情報６１３としては、二次元コード６１２を読み取ることができない場合にアクセスできるように、閲覧用ＵＲＬが印刷されている。掲載期間情報６１４としては、例えば掲載画面８の掲載期限日（図３の「写真閲覧期限」）が印刷されている。なお、掲載期間情報６１４は、掲載開始日と掲載終了日との組み合わせであってもよい。
【００２５】
次に、情報提供装置１の詳細について説明する。情報提供装置１は、Ｗｅｂサーバ１１と、データベースサーバ１２と、メールサーバ１３とを備えている。Ｗｅｂサーバ１１とデータベースサーバ１２とメールサーバ１３とは、例えばＬＡＮ（Local Area Network）等のネットワーク９２で接続されている。
【００２６】
まず、Ｗｅｂサーバ１１について説明する。Ｗｅｂサーバ１１は、例えばＣＰＵおよびメモリが搭載されたコンピュータである。このＷｅｂサーバ１１は、図２に示すように、第１通信部１１１と、第２通信部１１２と、注文受付部１１３と、仮登録制御部１１４と、ＩＤ作成部１１５と、本登録制御部１１６と、情報取得部１１７と、コード作成部１５１と、掲載制御部１５２と、ステータス管理部１５３とを備えている。
【００２７】
第１通信部１１１は、ネットワーク９１を介して、管理者側装置２、販売店側装置３１、配送センターサーバ３２、提供者側装置４および閲覧者側装置５（図１参照）の各々と通信する通信機能を有している。
【００２８】
第２通信部１１２は、データベースサーバ１２およびメールサーバ１３の各々と情報の授受を行う通信機能を有している。
【００２９】
注文受付部１１３は、販売店側装置３１（図１参照）から注文情報を受け取る。
【００３０】
仮登録制御部１１４は、提供者側装置４に対して空メールの送信を要求する仮登録画面（仮登録用Ｗｅｂページ）のＵＲＬ（以下「仮登録用ＵＲＬ」という）に提供者側装置４がアクセスすると、仮登録画面を提供者側装置４に表示させる。
【００３１】
提供者側装置４が仮登録画面を表示しているときに、情報提供者が空メール送信ボタンを操作すると、提供者側装置４のメールソフトが起動し、Ｗｅｂサーバ１１側から指定した宛先アドレスが宛先欄に自動的に入力された状態のメール（空メール）が作成される。情報提供者が提供者側装置４に対してメール送信操作を行うと、提供者側装置４は、上記のように作成された空メールを送信する。
【００３２】
ＩＤ作成部１１５は、情報提供者ごとに識別情報（ＩＤ：Identification）を作成する。
【００３３】
本登録制御部１１６は、情報提供者に関する情報（以下「提供者情報」という）を入力するための本登録画面（本登録用Ｗｅｂページ）のＵＲＬ（以下「本登録用ＵＲＬ」という）に提供者側装置４がアクセスした場合に、本登録画面を提供者側装置４に表示させる。また、本登録制御部１１６は、掲載情報および連絡先情報を入力するための掲載情報入力画面（入力用Ｗｅｂページ）のＵＲＬ（以下「入力用ＵＲＬ」という）に提供者側装置４がアクセスした場合に、掲載情報入力画面を提供者側装置４に表示させる。さらに、本登録制御部１１６は、提供者側装置４から入力完了通知を受信した後、情報取得部１１７が取得した提供者情報、掲載情報および連絡先情報に問題がないかどうかを確認する。すなわち、本登録制御部１１６は、提供者情報、掲載情報および連絡先情報が形式等の所定条件（正しい入力条件）を満たしているかどうかを判断する。提供者情報、掲載情報および連絡先情報の少なくともいずれかに問題がある場合、本登録制御部１１６は、その旨を提供者側装置４に通知する。
【００３４】
情報取得部１１７は、提供者情報を提供者側装置４から取得する。提供者情報は、例えば情報提供者の氏名、住所等である。また、情報取得部１１７は、提供者側装置４から掲載情報および連絡先情報を取得する。本登録制御部１１６によって提供者情報、掲載情報および連絡先情報に問題がなければ、情報取得部１１７は、提供者情報、掲載情報および連絡先情報をデータベース７に格納する。また、変更画面から掲載情報および連絡先情報が変更された場合、情報取得部１１７は、データベース７の掲載情報および連絡先情報を更新する。なお、掲載情報および連絡先情報の変更は、掲載期間終了まで許可されている。
【００３５】
掲載情報は、例えば掲載用テキスト、掲載用画像、掲載に関する設定事項等である。掲載に関する設定事項としては、例えば掲載期間情報、掲載終了前のメール連絡の要・不要等である。掲載用テキストは、例えば掲載画面８のタイトル、メッセージ、赤ちゃんに関する事項（名前（漢字、読み仮名）、生年月日、体重、続柄）等である。掲載用画像は、静止画像であってもよいし、動画像（映像、アニメーション）であってもよい。なお、掲載情報は、音声ファイルであってもよい。
【００３６】
連絡先情報は、閲覧者側装置５を用いて閲覧者が情報提供者に連絡可能にする情報である。具体的には、連絡先情報は、情報提供者の掲載用電話番号および掲載用メールアドレスである。掲載用電話番号は、閲覧者側装置５を用いて閲覧者が情報提供者に電話によって連絡可能にする電話番号である。掲載用メールアドレスは、閲覧者側装置５を用いて閲覧者が情報提供者に電子メールによって連絡可能にするメールアドレスである。なお、連絡先情報は、掲載用電話番号または掲載用メールアドレスのいずれか一方のみであってもよい。
【００３７】
ところで、情報提供者が複数人の場合、情報取得部１１７は、各人の掲載用電話番号および掲載用メールアドレスを取得する。例えば出産内祝いにおいて産まれた赤ちゃんの母親および父親の場合、情報取得部１１７は、掲載用電話番号として、母親と連絡可能な電話番号と、父親と連絡可能な電話番号との両方を提供者側装置４から取得する。また、情報取得部１１７は、掲載用メールアドレスとして、母親と連絡可能なメールアドレスと、父親と連絡可能なメールアドレスとの両方を提供者側装置４から取得する。
【００３８】
なお、連絡先情報は、掲載用ＦＡＸ番号、ソーシャルネットワーキングサービス（ＳＮＳ：SocialNetworking Service）の掲載用アカウント名等であってもよい。また、連絡先情報は、ソーシャルネットワーキングサービスのアカウント名を入力するためのアカウントページへのリンク先のアドレスであってもよい。掲載用ＦＡＸ番号は、閲覧者側装置５を用いて閲覧者が情報提供者のＦＡＸと通信可能にするＦＡＸ番号である。この場合、閲覧者側装置５は、テキストや図面をＦＡＸへ送信することができる機能を有していることが必要である。掲載用アカウント名は、閲覧者側装置５を用いて閲覧者がソーシャルネットワーキングサービスへのログインを可能にするアカウント名である。
【００３９】
コード作成部１５１は、提供者情報、掲載情報および連絡先情報の登録が完了すると、ＩＤ作成部１１５で作成されたＩＤに関連付けて閲覧用ＵＲＬを設定し、この閲覧用ＵＲＬを付加した二次元コードを作成する。そして、コード作成部１５１は、作成した二次元コードを配送センターサーバ３２（図１参照）に送信するように第１通信部１１１を制御する。第１通信部１１１は、コード作成部１５１の指示に従って、二次元コードを配送センターサーバ３２に送信する。本実施形態の閲覧用ＵＲＬは、上述のように、ＩＤに関連付けて設定されている。例えば、ＵＲＬの末尾は、ＩＤそのものであってもよいし、ＩＤと関連付けた文字列であってもよいし、いずれかを暗号化した文字列であってもよい。
【００４０】
掲載制御部１５２は、閲覧者側装置５（図１参照）への掲載情報の表示を制御する。掲載制御部１５２は、掲載情報の掲載開始日になると、掲載情報を掲載許可する。掲載制御部１５２は、掲載期間中に閲覧者側装置５が閲覧用ＵＲＬにアクセスした場合に、データベース７に格納されている情報を掲載した掲載画面８（図５参照）を閲覧者側装置５に表示させる。掲載画面８を閲覧できる状態にある掲載期間が終了すると、掲載制御部１５２は、掲載画面８の表示を終了する。また、掲載制御部１５２は、提供者側装置４からの指示によって、掲載期間中であっても、掲載画面８の表示を中止することができる。
【００４１】
閲覧者側装置５に表示される掲載画面８は、図５に示すような画面である。この掲載画面８には、掲載用テキスト８１と、掲載用画像８２と、電話用アイコン８３１，８３２と、メール用アイコン８４１，８４２と、掲載期間情報８５とが掲載されている。
【００４２】
電話用アイコン８３１，８３２は、データベース７に格納されている掲載用電話番号を用いて閲覧者が情報提供者に電話によって連絡するためのアプリケーションを閲覧者側装置５に起動させるアイコンである。メール用アイコン８４１，８４２は、データベース７に格納されている掲載用メールアドレスを用いて閲覧者が情報提供者に電子メールによって連絡するためのアプリケーションを閲覧者側装置５に起動させるアイコンである。
【００４３】
なお、図示しないが、連絡先情報が掲載用ＦＡＸ番号である場合、掲載画面８には、情報提供者のＦＡＸと通信するためのアプリケーションを閲覧者側装置５に起動させるＦＡＸ用アイコンが掲載される。また、連絡先情報が掲載用アカウント名である場合、掲載画面８には、閲覧者側装置５からソーシャルネットワーキングサービスへのログインを行うためのＳＮＳ用アイコンが掲載される。さらに、連絡先情報がアカウントページへのリンク先のアドレスである場合、掲載画面８には、リンク先を表示させるためのアプリケーションを閲覧者側装置５に起動させるＳＮＳ用アイコンが掲載される。ＦＡＸ用アイコンおよびＳＮＳ用アイコンは、例えば掲載画面８の電話用アイコン８３１，８３２やメール用アイコン８４１，８４２と同じ位置（掲載期間情報８５の上）に掲載される。
【００４４】
図１に示す閲覧者側装置５は、読取機能およびＷｅｂ機能によって、礼状６１（図３参照）に印刷された二次元コード６１２の閲覧用ＵＲＬを読み取り、この閲覧用ＵＲＬにアクセスする。そして、閲覧者側装置５は、閲覧用ＵＲＬに対応する掲載画面８を表示する。
【００４５】
閲覧者は、閲覧者側装置５に表示されている掲載画面８を閲覧し、掲載画面８に表示されている電話用アイコン８３１，８３２を操作することによって、情報提供者へ電話を行うことができる。また、閲覧者は、掲載画面８に表示されているメール用アイコン８４１，８４２を操作することによって、情報提供者へ電子メールを行うことができる。
【００４６】
ところで、上述したように、閲覧者側装置５は、携帯端末であったり、パーソナルコンピュータであったりする。このため、閲覧者側装置５の種類によって、許容されるデータ容量が異なる。
【００４７】
そこで、図２に示すＷｅｂサーバ１１の掲載制御部１５２は、閲覧者側装置５の種類に応じて掲載画面８を切り替えることができる。まず、閲覧者側装置５から閲覧用ＵＲＬにアクセスがあった場合、掲載制御部１５２は、アクセス情報を用いて閲覧者側装置５の種類を判別する。そして、掲載制御部１５２は、閲覧者側装置５に適した掲載画面８を切り替えることができる。
【００４８】
ステータス管理部１５３は、ＩＤ（情報提供者）ごとにステータス（状態）を管理する。ステータスとしては、「初期化」、「登録完了」、「掲載中」、「掲載終了」とがある。「初期化」は、提供者情報、掲載情報および連絡先情報が入力される前の状態である。「登録完了」は、提供者情報、掲載情報および連絡先情報の登録が完了した状態、すなわち、提供者情報、掲載情報および連絡先情報が入力された後の状態である。「掲載中」は、掲載期間中の状態である。「掲載終了」は、掲載期間後の状態である。ステータス管理部１５３で管理されるステータスは、データベース７に随時格納される。
【００４９】
ステータスは、管理者側での情報提供者の管理を目的として設定されている。例えば、ステータスが一定期間内に「登録完了」にならない情報提供者に対して、管理者または販売店側（管理者、販売店、情報提供装置１、管理者側装置２または販売店側装置３１）から注意を喚起することができる。また、管理者、情報提供装置１または管理者側装置２は、「掲載中」の期間と「掲載終了」の期間との総和、または、「掲載中」の期間のみを抽出し、抽出した期間を課金に反映させることができる。
【００５０】
続いて、データベースサーバ１２について説明する。データベースサーバ１２は、例えばＣＰＵおよびメモリが搭載されたコンピュータであり、Ｗｅｂサーバ１１で取得された掲載情報および連絡先情報をデータベース（記憶部）７に格納する。このデータベースサーバ１２は、図２に示すように、通信部１２１と、データベース管理部１２２と、データベース７とを備えている。通信部１２１は、Ｗｅｂサーバ１１およびメールサーバ１３の各々と情報の授受を行う通信機能を有している。データベース管理部１２２は、データベース７を管理する。
【００５１】
データベース７は、図４に示すように、ＩＤ７１と、ステータス７２と、メールアドレス７３と、情報提供者名７４と、掲載用テキスト７５１と、掲載用画像７５２と、掲載用電話番号７６１と、掲載用メールアドレス７６２と、掲載期間情報（図４の「掲載終了日」）７７とを対応付けて格納している。すなわち、データベース７は、メールアドレス７３と、提供者情報（情報提供者名７４）と掲載情報（掲載用テキスト７５１、掲載用画像７５２、掲載期間情報７７）と連絡先情報（掲載用電話番号７６１、掲載用メールアドレス７６２）とを対応付けて格納している。
【００５２】
まず、データベース７は、ＩＤ７１と空メールの送信元のメールアドレス７３と提供者情報との組み合わせを格納する。その後、Ｗｅｂサーバ１１が取得した掲載情報および連絡先情報に問題がなければ、データベース７は、ＩＤ７１とメールアドレス７３と掲載情報と連絡先情報とを対応付けて格納する。
【００５３】
続いて、メールサーバ１３について説明する。メールサーバ１３は、例えばＣＰＵおよびメモリが搭載されたコンピュータである。このメールサーバ１３は、図２に示すように、第１通信部１３１（メール受信部）と、第２通信部１３２と、メール記憶部１３３と、アドレス取得部１３４と、送信制御部１３５とを備えている。送信制御部１３５は、本登録用制御部１３６と、掲載情報入力用制御部１３７と、入力完了用制御部１３８と、終了予告用制御部１３９とを備えている。
【００５４】
第１通信部１３１は、メールソフトを用いて提供者側装置４（図１参照）と電子メールの送受信を行うメール機能を有している。具体的には、第１通信部１３１は、本文には何も書かれていない空メールを提供者側装置４から受信する。
【００５５】
第２通信部１３２は、Ｗｅｂサーバ１１およびデータベースサーバ１２の各々と情報の授受を行う通信機能を有している。
【００５６】
メール記憶部１３３は、第１通信部１１１で受信された受信メールを記憶したり、第１通信部１１１から提供者側装置４へ送信された送信メールを記憶したりする。
【００５７】
アドレス取得部１３４は、第１通信部１１１が受信した空メールから送信元のメールアドレスを取得する。
【００５８】
本登録用制御部１３６は、アドレス取得部１３４で取得されたメールアドレスとＩＤとの組み合わせがデータベースサーバ１２に格納された後、本登録用ＵＲＬを含む電子メールを提供者側装置４に送信するように第１通信部１１１を制御する。第１通信部１１１は、本登録用制御部１３６の指示に従って、上記電子メールを提供者側装置４に送信する。
【００５９】
掲載情報入力用制御部１３７は、Ｗｅｂサーバ１１が提供者側装置４から入力完了通知を受信した後、入力用ＵＲＬを含む電子メールを提供者側装置４に送信するように第１通信部１１１を制御する。第１通信部１１１は、掲載情報入力用制御部１３７の指示に従って、上記電子メールを提供者側装置４に送信する。
【００６０】
入力完了用制御部１３８は、入力完了通知を含む電子メールを提供者側装置４に送信するように、第１通信部１１１を制御する。第１通信部１１１は、入力完了用制御部１３８の指示に従って、上記電子メールを提供者側装置４に送信する。上記電子メールには、掲載情報および連絡先情報を変更するための変更画面（変更用Ｗｅｂページ）のＵＲＬ（以下「変更用ＵＲＬ」という）が含まれている。
【００６１】
終了予告用制御部１３９は、掲載期間が終了する前の指定期日に、掲載期間が終了すると掲載情報の掲載を終了する旨のメッセージを含む電子メールを提供者側装置４に送信するように第１通信部１１１を制御する。第１通信部１１１は、終了予告用制御部１３９の指示に従って、上記電子メールを提供者側装置４に送信する。
【００６２】
次に、本実施形態に係る情報提供システムを用いた注文方法について図６を参照しながら説明する。
【００６３】
まず、管理者は、仮登録用ＵＲＬが提示された利用案内書を作成し（Ｓ１）、作成した利用案内書を販売店に配布する（Ｓ２）。販売店は、顧客（情報提供者）に贈答品の販売案内を行う（Ｓ３）。販売店は、情報提供者から贈答品の注文を受け付けると（Ｓ４）、情報提供者に仮登録用ＵＲＬを案内する（Ｓ５）。販売店側装置３１は、注文を受け付けた旨の注文情報を情報提供装置１に送信する（Ｓ６）。
【００６４】
その後、情報提供装置１への提供者情報、掲載情報および連絡先情報の登録が完了すると、情報提供装置１は、閲覧用ＵＲＬを付加した二次元コードを作成し（Ｓ７）、作成した二次元コードを配送センターサーバ３２に送信する（Ｓ８）。
【００６５】
配送センターは、配送センターサーバ３２が情報提供装置１から二次元コードを受け取ると、この二次元コードを印刷した礼状６１（図３参照）を作成する（Ｓ９）。発送先が複数である場合、配送センターは、複数の礼状６１を作成する。その後、配送センターは、礼状６１を贈答品と一緒に閲覧者に配送する（Ｓ１０）。
【００６６】
続いて、本実施形態に係る情報提供システムを用いた登録方法について図７を参照しながら説明する。なお、本登録画面と仮登録画面とを総称して登録画面とする。
【００６７】
まず、情報提供者が仮登録用ＵＲＬの利用案内書を販売店から受け取り、提供者側装置４が仮登録用ＵＲＬにアクセスする（Ｓ２１）。情報提供装置１のＷｅｂサーバ１１は、仮登録画面を表示させて、提供者側装置４に対して空メールの送信を要求する（Ｓ２２）。提供者側装置４は、空メールを情報提供装置１のメールサーバ１３に送信する（Ｓ２３）。メールサーバ１３は、空メールを受信すると、この空メールの送信元のメールアドレスを取得する。さらに、Ｗｅｂサーバ１１がＩＤを作成する（Ｓ２４）。このとき、このＩＤのステータスは「初期化」となる。その後、情報提供装置１のデータベースサーバ１２がＩＤと空メールの送信元のメールアドレスとの組み合わせをデータベース７に格納する（Ｓ２５）。その後、メールサーバ１３は、本登録用ＵＲＬを含む電子メールを提供者側装置４に送信する（Ｓ２６）。提供者側装置４は、上記電子メールを受信すると、本登録用ＵＲＬにアクセスし（Ｓ２７）、Ｗｅｂサーバ１１は、本登録画面を提供者側装置４に表示させる（Ｓ２８）。その後、情報提供者が提供者側装置４を用いて提供者情報を入力する。提供者側装置４は、入力された提供者情報をＷｅｂサーバ１１に送信する（Ｓ２９）。全ての提供者情報の入力が終了した場合、提供者側装置４は、入力完了を表わす入力完了通知をＷｅｂサーバ１１に送信する（Ｓ３０）。
【００６８】
Ｗｅｂサーバ１１が入力完了通知を受信した後、メールサーバ１３は、入力用ＵＲＬを含む電子メールを提供者側装置４に送信する（Ｓ３１）。提供者側装置４は、上記電子メールを受信すると、入力用ＵＲＬにアクセスし（Ｓ３２）、Ｗｅｂサーバ１１は、掲載情報入力画面を提供者側装置４に表示させる（Ｓ３３）。その後、情報提供者が提供者側装置４を用いて掲載情報および連絡先情報を入力する。提供者側装置４は、入力された掲載情報および連絡先情報をＷｅｂサーバ１１に送信する（Ｓ３４）。全ての掲載情報および連絡先情報の入力が終了した場合、提供者側装置４は入力完了通知をＷｅｂサーバ１１に送信し、Ｗｅｂサーバ１１は提供者側装置４から入力完了通知を受け取る（Ｓ３５）。このとき、ステータスは「登録完了」となる。その後、Ｗｅｂサーバ１１は、提供者情報、掲載情報および連絡先情報に問題がないかどうかを確認する（Ｓ３６）。提供者情報、掲載情報および連絡先情報に問題がなければ、データベースサーバ１２は、ＩＤと提供者情報と掲載情報と連絡先情報とを対応付けてデータベース７に格納する（Ｓ３７）。メールサーバ１３は、入力完了通知および変更用ＵＲＬを含む電子メールを提供者側装置４に送信し、提供者側装置４は、上記電子メールを受信する（Ｓ３８）。
【００６９】
続いて、本実施形態に係る情報提供システムを用いた閲覧方法について図８を参照しながら説明する。
【００７０】
まず、情報提供装置１のＷｅｂサーバ１１は、掲載期間になると掲載情報を掲載許可とする（Ｓ４１）。このとき、ステータスは「掲載中」となる。その後、閲覧者が礼状６１（図３参照）および贈答品を受け取ると、閲覧者側装置５が、礼状６１に印刷された二次元コード６１２の閲覧用ＵＲＬを読み取って、この閲覧用ＵＲＬにアクセスする（Ｓ４２）。掲載期間である場合すなわちステータスが「掲載中」である場合、Ｗｅｂサーバ１１は、掲載画面８（図５参照）を閲覧者側装置５に表示させる（Ｓ４３）。閲覧者は、閲覧者側装置５に表示されている掲載画面８を閲覧し、掲載画面８に表示されているアイコン（電話用アイコン８３１，８３２、メール用アイコン８４１，８４２）を操作することによって、情報提供者と連絡を取ることができる（Ｓ４４）。その後、情報提供装置１のメールサーバ１３は、掲載期間が経過する前の指定期日に、掲載終了の予告の電子メールを提供者側装置４に送信し、提供者側装置４は、上記電子メールを受信する（Ｓ４５）。その後、掲載期間が終了すると、Ｗｅｂサーバ１１は、掲載情報の掲載を終了し、必要に応じて掲載情報を削除する（Ｓ４６）。このとき、ステータスは「掲載終了」となる。一方、閲覧者側装置５が閲覧用ＵＲＬにアクセスしたときに掲載期間ではない場合すなわちステータスが「掲載中」ではない場合、Ｗｅｂサーバ１１は、閲覧不可の告知画面を閲覧者側装置５に表示させる。
【００７１】
以上説明した本実施形態の情報提供装置１は、礼状（印刷物）６１に印刷された二次元コード（情報コード）６１２に含まれている閲覧用ＵＲＬ（アドレス）に閲覧者側装置５がアクセスした場合に、閲覧者が情報提供者に連絡するためのアプリケーションを閲覧者側装置５に起動させるアイコン（電話用アイコン８３１，８３２、メール用アイコン８４１，８４２）を掲載した掲載画面８を閲覧者側装置５に表示させる。これにより、掲載画面８を閲覧した閲覧者は、上記アイコンを操作することによって、情報提供者へ容易に連絡することができる。
【００７２】
また、本実施形態の情報提供装置１は、提供者側装置４から空メール（電子メール）を受信し、この空メールの送信元のメールアドレスを記憶する。これにより、情報提供者のメールアドレスを手動で入力する場合とは異なり、情報提供者のメールアドレスを確実に記憶することができるので、緊急時の連絡先を確実に確保することができる。
【００７３】
（実施形態２）
実施形態２では、図１０に示すようなカード６２を用いた場合について説明する。なお、実施形態１と同様の構成要素については、同一の符号を付して説明を省略する。
【００７４】
カード６２は、第１半券６３と第２半券６４とで構成されている。第１半券６３には、二次元コード６３１と、アドレス情報６３２と、パスワード情報６３３とが印刷されている。二次元コード６３１は、ワンタイムパスワードを入力するための仮登録用ＵＲＬを含んでいる。アドレス情報６３２としては、二次元コード６３１を読み取ることができない場合にアクセスできるように、仮登録用ＵＲＬが印刷されている。パスワード情報としては、ワンタイムパスワードが印刷されている。第２半券６４には、二次元コード６４１と、アドレス情報６４２とが印刷されている。二次元コード６４１は、閲覧用ＵＲＬを含んでいる。アドレス情報６４２としては、二次元コード６４１を読み取ることができない場合にアクセスできるように、閲覧用ＵＲＬが印刷されている。なお、カード６２は、第２半券６４の二次元コード６４１の部分、アドレス情報６３２の部分が、シールとして他の物に直接貼り付けることができる構造であってもよい。
【００７５】
本実施形態では、仮登録用ＵＲＬと閲覧用ＵＲＬとが同一である。すなわち、第１半券６３の二次元コード６３１に含まれているＵＲＬと第２半券６４の二次元コード６４１に含まれているＵＲＬとは同一である。本実施形態の仮登録用ＵＲＬおよび閲覧用ＵＲＬは、ＩＤに関連付けて設定されている。例えば、ＵＲＬの末尾（図１０の「xxxxx」の部分）は、ＩＤそのものであってもよいし、ＩＤと関連付けた文字列であってもよいし、いずれかを暗号化した文字列であってもよい。
【００７６】
本実施形態のＷｅｂサーバ１１は、図９に示すように、実施形態１のＷｅｂサーバ１１（図２参照）の構成に加えて、パスワード受付部１６１と、認証部１６２と、切替部１６３とをさらに備えている。
【００７７】
パスワード受付部１６１は、仮登録制御部１１４が仮登録画面を提供者側装置４に表示したときに、提供者側装置４（図１参照）からワンタイムパスワードの入力を受け付ける。仮登録制御部１１４は、実施形態１と同様に、仮登録用ＵＲＬに提供者側装置４がアクセスすると、仮登録画面を提供者側装置４に表示させる。情報取得部１１７が提供者情報、掲載情報および連絡先情報を取得し、メールサーバ１３の入力完了用制御部１３８が入力完了通知を含む電子メールを提供者側装置４に送信したとき、ワンタイムパスワードは無効となる。
【００７８】
認証部１６２は、パスワード受付部１６１で受け付けられたワンタイムパスワードを認証する。
【００７９】
認証部１６２がワンタイムパスワードを認証した後、提供者側装置４が仮登録画面を表示しているときに、情報提供者が空メール送信ボタンを操作すると、提供者側装置４のメールソフトが起動する。そして、Ｗｅｂサーバ１１側から指定した宛先アドレスが宛先欄に自動的に入力された状態の空メールが作成される。本実施形態では、空メールの宛先アドレスは、ＩＤそのものもしくはＩＤと関連付けた文字列、または、いずれかを暗号化した文字列を含むアドレスである。情報提供者が提供者側装置４に対してメール送信操作を行うと、提供者側装置４は、上記のように作成された空メールを送信する。
【００８０】
本実施形態のメールサーバ１３のアドレス取得部１３４は、第１通信部１１１が受信した空メールから送信元のメールアドレスを取得し、かつ、空メールの宛先アドレスからＩＤを抽出し、このＩＤと空メールの送信元のメールアドレスとを結び付ける。そして、アドレス取得部１３４は、送信元のメールアドレスとＩＤとの組み合わせをデータベースサーバ１２のデータベース７に格納させる。
【００８１】
例えば、ＩＤが「12345」である場合、仮登録用ＵＲＬから要求される空メールの宛先アドレスは、「receive-12345@aaa.co.jp」となる。アドレス取得部１３４は、空メールの宛先アドレスからＩＤの「12345」を抽出し、このＩＤと空メールの送信元のメールアドレスとの組み合わせをデータベースサーバ１２のデータベース７に格納させる。
【００８２】
本実施形態の情報取得部１１７は、認証部１６２がワンタイムパスワードを認証し、仮登録制御部１１４が仮登録画面を提供者側装置４に表示すると、提供者側装置４から掲載情報および連絡先情報を取得する。なお、実施形態１の情報取得部１１７（図２参照）と同様の機能については説明を省略する。
【００８３】
切替部１６３は、二次元コード６３１，６４１（図１０参照）に含まれているＵＲＬに対応する画面を切り替える。切替部１６３は、情報取得部１１７での掲載情報および連絡先情報の取得が完了すると、上記ＵＲＬに対応する画面を登録画面から掲載画面８に切り替える。
【００８４】
本実施形態のデータベース７は、図１１に示すように、ＩＤ７１と、ステータス７２と、メールアドレス７３と、情報提供者名７４と、掲載用テキスト７５１と、掲載用画像７５２と、掲載用電話番号７６１と、掲載用メールアドレス７６２と、掲載期間情報７７と、ワンタイムパスワード７８とを対応付けて格納している。ワンタイムパスワード７８は、ステータスが「初期化」であるときに格納されており、ステータスが「登録完了」、「掲載中」および「掲載完了」であるときは格納されていない。なお、実施形態１のデータベース７（図４参照）と同様の部分については説明を省略する。
【００８５】
次に、本実施形態に係る情報提供システムを用いた注文方法について図１２を参照しながら説明する。
【００８６】
まず、管理者は、二次元コード６３１，６４１が印刷されたカード６２を作成する（Ｓ６１）。このとき、ステータスは「初期化」となる。管理者は、カード６２を販売店に発送する（Ｓ６２）。販売店は、顧客（情報提供者）にカード６２を販売する（Ｓ６３）。販売店は、情報提供者から商品発送依頼を受け付けた場合（Ｓ６４）、カード６２の第２半券６４を情報提供者から受け取る（Ｓ６５）。その後、販売店は、第２半券６４を配送センターに発送する（Ｓ６６）。
【００８７】
配送センターは、販売店からの第２半券６４の二次元コード６４１を印刷したグリーティングカード（図示せず）を作成する（Ｓ６７）。その後、配送センターは、グリーティングカードを贈答品と一緒に閲覧者に配送する（Ｓ６８）。
【００８８】
続いて、本実施形態に係る情報提供システムを用いた登録方法について図１３を参照しながら説明する。なお、本登録画面と仮登録画面とを総称して登録画面とする。
【００８９】
まず、情報提供者がカード６２を購入した後、提供者側装置４は、カード６２の第１半券６３の二次元コード６３１を読み取って仮登録用ＵＲＬを取得し（Ｓ８１）、この仮登録用ＵＲＬにアクセスする（Ｓ８２）。情報提供装置１のＷｅｂサーバ１１は、仮登録画面を提供者側装置４に表示させる（Ｓ８３）。その後、情報提供者は、仮登録画面上でワンタイムパスワードを入力する（Ｓ８４）。Ｗｅｂサーバ１１は、提供者側装置４に対して空メールの送信を要求する（Ｓ８５）。提供者側装置４は、空メールを情報提供装置１のメールサーバ１３に送信する（Ｓ８６）。メールサーバ１３は、提供者側装置４から空メールを受信すると、この空メールの送信元のメールアドレスを取得し、さらに、空メールの宛先アドレスからＩＤを抽出する（Ｓ８７）。その後、空メールの送信元のメールアドレスとＩＤとの組み合わせを情報提供装置１のデータベースサーバ１２がデータベース７に格納する（Ｓ８８）。その後、メールサーバ１３は、本登録用ＵＲＬを含む電子メールを提供者側装置４に送信する（Ｓ８９）。提供者側装置４は、上記電子メールを受信すると、本登録用ＵＲＬにアクセスし（Ｓ９０）、Ｗｅｂサーバ１１は、本登録画面を提供者側装置４に表示させる（Ｓ９１）。その後、情報提供者が提供者側装置４を用いて提供者情報を入力する。提供者側装置４は、入力された提供者情報をＷｅｂサーバ１１に送信する（Ｓ９２）。全ての提供者情報の入力が終了した場合、提供者側装置４は入力完了通知をＷｅｂサーバ１１に送信する（Ｓ９３）。
【００９０】
Ｗｅｂサーバ１１が入力完了通知を受信した後、メールサーバ１３は、入力用ＵＲＬを含む電子メールを提供者側装置４に送信する（Ｓ９４）。提供者側装置４は、上記電子メールを受信すると、入力用ＵＲＬにアクセスし（Ｓ９５）、Ｗｅｂサーバ１１は、掲載情報入力画面を提供者側装置４に表示させる（Ｓ９６）。その後、情報提供者が提供者側装置４を用いて掲載情報および連絡先情報を入力する。提供者側装置４は、入力された掲載情報および連絡先情報をＷｅｂサーバ１１に送信する（Ｓ９７）。全ての掲載情報および連絡先情報の入力が終了した場合、提供者側装置４は入力完了通知をＷｅｂサーバ１１に送信し、Ｗｅｂサーバ１１は提供者側装置４から入力完了通知を受け取る（Ｓ９８）。このとき、ステータスは「登録完了」となる。その後、Ｗｅｂサーバ１１は、提供者情報、掲載情報および連絡先情報に問題がないかどうかを確認する（Ｓ９９）。提供者情報、掲載情報および連絡先情報に問題がなければ、データベースサーバ１２は、ＩＤと提供者情報と掲載情報と連絡先情報とを対応付けてデータベース７に格納する（Ｓ１００）。メールサーバ１３は、入力完了通知および変更用ＵＲＬを含む電子メールを提供者側装置４に送信し、提供者側装置４は、上記電子メールを受信する（Ｓ１０１）。
【００９１】
本実施形態に係る情報提供システムを用いた閲覧方法については、実施形態１の情報提供システムを用いた閲覧方法と同様であるから、省略する。
【００９２】
以上説明した本実施形態の情報提供装置１によれば、ワンタイムパスワードを用いることによって、仮登録画面と掲載画面８とで同一のＵＲＬ（アドレス）を兼用することができる。これにより、ＵＲＬを含む二次元コード（情報コード）６３１，６４１が事前にカード（印刷物）６２に印刷されていても、ワンタイムパスワードを入力しなければ、掲載情報等を入力することができないので、他人が掲載情報等を勝手に入力するのを防止することができる。
【００９３】
（実施形態３）
実施形態３では、カード６２において第１半券６３の二次元コード６３１と第２半券６４の二次元コード６４１とが異なる場合について説明する。なお、実施形態２と同様の構成要素については、同一の符号を付して説明を省略する。
【００９４】
本実施形態のカード６２は、図１０に示すように、実施形態２のカード６２と同様、第１半券６３と第２半券６４とで構成されている。ただし、第１半券６３の二次元コード６３１と、第２半券６４の二次元コード６４１とは異なるコードである。すなわち、第１半券６３の二次元コード６３１に含まれているＵＲＬと第２半券６４の二次元コード６４１に含まれているＵＲＬとは異なっている。第１半券６３の二次元コード６３１には、仮登録用ＵＲＬが含まれている。一方、第２半券６４の二次元コード６４１には、閲覧用ＵＲＬが含まれている。なお、本実施形態の第１半券６３には、パスワード情報６３３は印刷されていない。すなわち、本実施形態では、ワンタイムパスワードは用いられない。
【００９５】
次に、本実施形態に係る情報提供システムを用いた注文方法について図１４を参照しながら説明する。
【００９６】
まず、管理者は、二次元コード６３１，６４１を印刷したカード６２を作成する（Ｓ１２１）。このとき、ステータスは「初期化」となる。管理者は、カード６２を販売店に発送する（Ｓ１２２）。販売店は、顧客（情報提供者）にカード６２を販売する（Ｓ１２３）。本実施形態では、販売店は、情報提供者から商品発送依頼を受けず、情報提供者は、カード６２の第１半券６３と第２半券６４との両方を持ち帰る。
【００９７】
情報提供者は、購入したカード６２の第２半券６４を、情報提供者が用意したグリーティングカード（または贈答品）に添付する（Ｓ１２４）。その後、情報提供者は、カード６２の第２半券６４が添付されたグリーティングカード（または贈答品）を閲覧者に贈る（Ｓ１２５）。
【００９８】
続いて、本実施形態に係る情報提供システムを用いた登録方法について図１５を参照しながら説明する。なお、本登録画面と仮登録画面とを総称して登録画面とする。
【００９９】
まず、提供者側装置４は、カード６２の第１半券６３の二次元コード６３１を読み取って仮登録用ＵＲＬを取得し（Ｓ１４１）、この仮登録用ＵＲＬにアクセスする（Ｓ１４２）。情報提供装置１のＷｅｂサーバ１１は、仮登録画面を提供者側装置４に表示させて、提供者側装置４に対して空メールの送信を要求する（Ｓ１４３）。提供者側装置４は、空メールを情報提供装置１のメールサーバ１３に送信する（Ｓ１４４）。空メールを受信すると、情報提供装置１のメールサーバ１３は、空メールの送信元のメールアドレスを取得し、さらに、空メールの宛先アドレスからＩＤを抽出する（Ｓ１４５）。その後、このＩＤと空メールの送信元のメールアドレスとの組み合わせを情報提供装置１のデータベースサーバ１２がデータベース７に格納する（Ｓ１４６）。その後、メールサーバ１３は、本登録用ＵＲＬを含む電子メールを提供者側装置４に送信する（Ｓ１４７）。提供者側装置４は、本登録用ＵＲＬにアクセスし（Ｓ１４８）、Ｗｅｂサーバ１１は、本登録画面を提供者側装置４に表示させる（Ｓ１４９）。その後、情報提供者が提供者側装置４を用いて提供者情報を入力する。提供者側装置４は、入力された提供者情報をＷｅｂサーバ１１に送信する（Ｓ１５０）。全ての提供者情報の入力が終了した場合、提供者側装置４は入力完了通知をＷｅｂサーバ１１に送信する（Ｓ１５１）。
【０１００】
Ｗｅｂサーバ１１が入力完了通知を受信した後、メールサーバ１３は、入力用ＵＲＬを含む電子メールを提供者側装置４に送信する（Ｓ１５２）。提供者側装置４は、入力用ＵＲＬにアクセスし（Ｓ１５３）、Ｗｅｂサーバ１１は、掲載情報入力画面を提供者側装置４に表示させる（Ｓ１５４）。その後、情報提供者が提供者側装置４を用いて掲載情報および連絡先情報を入力する。提供者側装置４は、入力された掲載情報および連絡先情報をＷｅｂサーバ１１に送信する（Ｓ１５５）。全ての掲載情報および連絡先情報の入力が終了した場合、提供者側装置４は入力完了通知をＷｅｂサーバ１１に送信する（Ｓ１５６）。入力完了通知を受信した後、Ｗｅｂサーバ１１は、掲載情報および連絡先情報に問題がないかどうかを確認する（Ｓ１５７）。掲載情報および連絡先情報に問題がなければ、データベースサーバ１２は、ＩＤと提供者情報と掲載情報と連絡先情報とを対応付けて記憶する（Ｓ１５８）。メールサーバ１３は、入力完了通知および変更用ＵＲＬを含む電子メールを提供者側装置４に送信する（Ｓ１５９）。
【０１０１】
本実施形態に係る情報提供システムを用いた閲覧方法については、実施形態１の情報提供システムを用いた閲覧方法と同様であるから、省略する。
【０１０２】
以上説明した本実施形態の情報提供装置１によれば、カード６２において第１半券６３の二次元コード６３１と第２半券６４の二次元コード６４１とが異なる場合であっても、掲載画面８（図５参照）を閲覧者側装置５に表示させることができる。
【０１０３】
なお、本実施形態の変形例として、情報提供者は、カード６２の第２半券６４または第２半券６４の二次元コード６４１を名刺に貼り付け、この名刺を閲覧者に渡してもよい。このような場合であっても、閲覧者は情報提供者から名刺を受け取り、閲覧者側装置５は、名刺の二次元コード６４１を読み取り、閲覧用ＵＲＬにアクセスすることによって、掲載画面８を表示することができる。
【０１０４】
また、本実施形態においても、実施形態２と同様に、情報提供装置１は、ワンタイムパスワードを用いて提供者情報、掲載情報および連絡先情報を提供者側装置４から取得してもよい。
【０１０５】
各実施形態では、二次元コードが印刷された印刷物が出産内祝いの礼状６１またはカード６２である使用例について説明したが、上記使用例には限定されない。例えば、二次元コードが印刷された印刷物が、結婚式や記念日等の祝い事、その他の冠婚葬祭等の案内状や礼状であってもよいし、名刺であってもよい。
【０１０６】
また、各実施形態では、情報コードとして二次元コードを用いた場合について説明したが、情報コードとして一次元コードを用いてもよい。さらに、情報コードが書き込まれたＩＣチップを用いてもよい。
【０１０７】
各実施形態において、情報提供装置１は、負荷分散のために、Ｗｅｂサーバ１１、データベースサーバ１２、メールサーバ１３と機能別に分けて３台のサーバで構成されているが、このような構成には限定されない。各実施形態の変形例として、情報提供装置１は、１台または２台のサーバで構成されていてもよいし、４台以上のサーバで構成されていてもよい。
【符号の説明】
【０１０８】
１  情報提供装置
１１  Ｗｅｂサーバ
１１７  情報取得部
１５２  掲載制御部
１６１  パスワード受付部
１６２  認証部
１６３  切替部
１２  データベースサーバ
１３  メールサーバ
１３１  第１通信部（メール受信部）
４  提供者側装置
５  閲覧者側装置
６１  礼状（印刷物）
６１２  二次元コード（情報コード）
６２  カード（印刷物）
６３  第１半券
６３１  二次元コード（情報コード）
６４  第２半券
６４１  二次元コード（情報コード）
７  データベース（記憶部）
８３１，８３２  電話用アイコン
８４１，８４２  メール用アイコン
【図１】
2014035727.tif 000003
【図２】
2014035727.tif 000004
【図３】
2014035727.tif 000005
【図４】
2014035727.tif 000006
【図５】
2014035727.tif 000007
【図６】
2014035727.tif 000008
【図７】
2014035727.tif 000009
【図８】
2014035727.tif 000010
【図９】
2014035727.tif 000011
【図１０】
2014035727.tif 000012
【図１１】
2014035727.tif 000013
【図１２】
2014035727.tif 000014
【図１３】
2014035727.tif 000015
【図１４】
2014035727.tif 000016
【図１５】
2014035727.tif 000017